(57)【特許請求の範囲】
【請求項１】
バイオメトリックス情報が入力される第１の情報入力部と、
前記第１の情報入力部に入力された前記バイオメトリックス情報から、テンプレート化がなされた第１のデータを生成する第１の処理部と、
前記第１のデータを、テンプレート化がなされて得られている第２のデータを基準に照合して認証を出力する第２の処理部と、
外部との間で第３のデータがやりとりされるインターフェースと、
前記インターフェースを介した前記第３のデータの蓄積先として機能するかまたは前記インターフェースを介した前記第３のデータの出力元として機能するストレージ部と、
前記第２の処理部が出力した前記認証に基づき、前記ストレージ部と前記インターフェースとの間の前記第３のデータの流れの制御を行う第１の制御部と、
鍵情報具有物品が有する鍵情報が入力される第２の情報入力部と、
前記第２の情報入力部に入力された前記鍵情報に基づき、前記第１のデータを、前記第２のデータに代わる新たな第２のデータとして保持させるように制御する第２の制御部と
を具備することを特徴とするストレージ装置。
【請求項２】
前記第２のデータを保持するための保持部をさらに具備することを特徴とする請求項１記載のストレージ装置。
【請求項３】
前記鍵情報具有物品が前記第２のデータを保持する保持部を含んでおり、前記ストレージ装置に前記第２のデータを保持する保持部が存在しないことを特徴とする請求項１記載のストレージ装置。
【請求項４】
前記保持部が、前記鍵情報具有物品としてのＳＩＭまたはＩＣカードに含まれることを特徴とする請求項３記載のストレージ装置。
【請求項５】
前記インターフェースを介して外部から送られた前記第３のデータを暗号化して前記ストレージ部に供給する暗号化部と、
前記ストレージ部から出力された暗号化された前記第３のデータを復号して前記インターフェースに送り出す復号部と
をさらに具備することを特徴とする請求項１記載のストレージ装置。
【請求項６】
前記第２の情報入力部が、
前記鍵情報具有物品に対して、前記鍵情報具有物品の動作に必要な電力を含む電磁波信号の放射を行う放射部と、
該放射に反応して前記鍵情報具有物品より発信される電磁波信号を受信する受信部と、
を有することを特徴とする請求項１記載のストレージ装置。
【請求項７】
前記第１の情報入力部が、前記バイオメトリックス情報としての指紋情報の入力がされる情報入力部であることを特徴とする請求項１記載のストレージ装置。
【請求項８】
前記インターフェースが、ＵＳＢ規格に準拠することを特徴とする請求項１記載のストレージ装置。
【請求項９】
前記第１の処理部、前記第２の処理部、前記第１の制御部、および前記第２の制御部が、それぞれ、ＣＰＵでの処理により動作がなされること
を特徴とする請求項１記載のストレージ装置。
【請求項１０】
外部との間で情報データがやりとりされるインターフェースと、該インターフェースを介した前記情報データの蓄積先として機能するかまたは該インターフェースを介した前記情報データの出力元として機能するストレージ部とを有するストレージ装置におけるストレージ方法であって、前記ストレージ装置が、
バイオメトリックス情報を入力し、
前記バイオメトリックス情報から、テンプレート化がなされた第１のデータを生成し、
前記第１のデータを、テンプレート化がなされて得られている第２のデータを基準に照合して認証を出力し、
前記認証に基づき、前記ストレージ部と前記インターフェースとの間の前記情報データの流れの制御を行い、
鍵情報具有物品が有する鍵情報を入力し、
前記鍵情報に基づき、前記第１のデータを、前記第２のデータに代わる新たな第２のデータとして保持させるように制御すること
を特徴とするストレージ方法。
【請求項１１】
前記ストレージ装置が、前記インターフェースによる外部との接続が途切れた場合に前記認証を無効とすることを特徴とする請求項１０記載のストレージ方法。
【発明の詳細な説明】
【技術分野】
【０００１】
本発明は、情報処理装置などのホスト側との切り離しが可能でかつホスト側との接続時にデータの蓄積および蓄積されたデータの出力を行うストレージ装置およびこのような装置のストレージ方法に係り、特に、セキュリティおよび使い勝手の向上に適するストレージ装置およびストレージ方法に関する。
【背景技術】
【０００２】
コンピュータ、ディジタルカメラ、ディジタル録音装置等の情報商品の普及に伴い、消費者のディジタル情報保存メディアに対する種々の要求も日増しに増加している。ディジタル情報保存メディアとして、コンピュータ専用のディスクのほかにもメーカ各社は各メディアを売り出しており、例えば、ＰＣＭＣＩＡカード、コンパクトフラッシュ（登録商標）、スマートメディア（登録商標）、マルチメディア、セキュアディジタル、メモリスティック等のフラッシュメモリ製品がある。
【０００３】
これらの保存メディアは、従来のフレキシブルディスクやハードディスクに代わって新時代の保存装置の寵児となっている。特に、コンパクトフラッシュ（登録商標）やＰＣＭＣＩＡカードは、例えばディジタルカメラ、ＭＰ３プレイヤー、携帯情報端末（ＰＤＡ）、コンピュータ（ＰＣ／ＮＢ）などの消費性電子製品に採用されるようになってきている。そしてさらに最近では、体積が小さく使用に便利であることをうたったリムーバブルハードディスクが最も市場の注目を集めている。
【０００４】
市場にあるリムーバブルハードディスクは、保存メモリ容量や形状などの違いにより数多くの種類がある。これらの商品は体積が小さく使用に便利な特色のほか、一体成形型ＵＳＢのプラグアンドプレイプラグを備え、使用者が駆動プログラムをインストールしなくともデータをメモリ部とアクセスできるリムーバブルハードディスクとされている。同類の製品であるコンパクトフラッシュ（登録商標）、スマートメディア（登録商標）、ＭＭＣ、ＳＤカード、メモリスティックと比較すると、リムーバブルハードディスクは体積が小さい、容量が大きい、速度が速い、構造が強い、製造コストが低いなどの長所を有している。さらに、一般的に使用されているＵＳＢ規格などのインターフェースを備えていることとソフトウエアのドライバがスタンダード化していることからホスト機器との相容性がよい長所も有している。
【０００５】
このほか、特許文献１（実用新案登録第３０８９７１７号公報）に開示されるように、ＵＳＢプラグを備えたリムーバブルハードディスクは電源不要でプラグアンドプレイの機能を有し、さらに、高い安全性、高速データ伝送速度（１２Ｍｂ／ｓｅｃ）、ホットスワッピング、操作簡便を実現している。また、コンピュータの組立経験不要でコンピュータの設置を改変する必要がなく、Ｗｉｎｄｏｗｓ（登録商標）９８、Ｍａｃ ＯＳ ８．６以上のシステムをサポートするなどの長所もある。
【０００６】
市場のリムーバブルハードディスクおよび携帯製品は、ますます消費者に受け入れられ業者に注目されている。その理由として、いずれもＵＳＢ規格に対応しかつ大きな保存容量空間を有し、ＵＳＢプラグを備えたコンピュータに速やかに直接連結、コミュニケートできることが大きい。また、きわめて容易にその他のタイプの消費性電子・通信装置にも直接データを伝送できることも要因である。
【０００７】
行動ビジネスマンにとって、リムーバブルハードディスクの携帯特性は、データ保存、改修の便利性を提供する。一般の学生にとっては、リムーバブルハードディスクの高容量特性はＭＰ３、ＶＩＤＥＯ、ＧＡＭＥ、ＰＨＯＴＯ等との高速ファイル交換の作業速度を提供する。これにより、十分便利にディジタルカメラ、ディジタル録音機、ＭＰ３プレイヤー、携帯情報端末、オンラインマシン、ＳＴＢ（セットトップボックス）、携帯電話、ノートパソコン、情報家電（ＩＡ）などマスストレージデバイス中に応用できる。
【０００８】
上述の各種のリムーバブルハードディスクは、さらに各種の常用のツールプログラム、例えば電子メール、通信記録、ＩＣＱ等に結合され、これにより、どこにいても、相手がコンピュータあるいは携帯電話等のディジタル装置を有していれば、簡単にその相手との連絡ができる。また、使用概念がディスクと相似ではあるが、体積が小さく重量が軽いもののデータ保存空間は８ＭＢ〜１ＧＢにも達し、さらには無限に保存空間を延伸できる可能性を有する新時代の保存装置である。
【０００９】
これだけでなく、コピー防止暗号化規格に対応して設計できその応用面をさらに広げることができる。例えば、個人データが不注意から削除されるのを防止するほか、録音、図書、ゲーム等の著作権を有するデータ保存に適合させることもできる。さらにはクレジットカード、電話カード、会員カード等の電子商取引への応用にも向いている。このような新興の保存メディアの寵児は、過去には想像できなかった応用空間を有しており、直接保存メディアを使用する設備のスロットに直接差し込むことでプラグアンドプレイでき、高いデータ伝送速度および高い保存容量等の機能が発揮される。外観設計上もその製造コストを増加することがない。
【００１０】
一方、コンピュータシステムまたはネットワークシステム、その他の装置におけるセキュリティシステムとして、本人認証を指紋照合によって実現する指紋照合システムがある。従来の指紋照合システムは、例えば、パソコン内に指紋の元データを登録記憶させておく。そして、パソコンに接続するスキャナ付き指紋照合装置から本人の指紋データを入力し、パソコン内で指紋の元データと入力された指紋データとを比較照合して、一致した場合に本人認証を得る。
【００１１】
また、スマートカードのセキュリティメモリ内に指紋の元データを登録保持させ、パソコンに接続する指紋照合装置から本人の指紋データを入力し、パソコン内で両データの比較照合を行い、本人認証を行うデータキャリアタイプのものもある。さらに、次世代タイプとして、登録した指紋の元データが指紋照合トークン内のセキュリティメモリにあり、照合も指紋照合トークン内で行うものがある。
【００１２】
なお、指紋照合システムに関する従来技術としては、例えば、特許文献２（特開２００１−４３１９０号公報）に開示のものがある。また、指紋照合を用いた電子システムに関する従来技術としては、例えば、特許文献３（特開２００１−９２７８６号公報）に開示のものがある。さらに、独立型の指紋認証装置であって、この装置内で指紋照合を行うとともに、その認証結果によって内部に複数記憶するデータの中から適正なデータを取得して転送する技術として、特許文献４（特開２００３−８５１４９号公報）に開示のものがある。この開示内容では、ＩＣカード部に必要なセキュリティデータを格納するとともに、ＩＣカード部にて復号するようにすることでセキュリティ性を向上させている。
【００１３】
ここで用いられるＩＣカードとしては、特許文献５（特表２００２−５２５７２０号公報）に開示されるように、ＩＳＯ７８１６−２、ＩＳＯ７８１６−３で規定される接触型インターフェースと、ＵＳＢ（universal serial bus）規格の接触型インターフェースとのデュアルインタフェースを有するＩＣカードが開発されている。ＵＳＢインタフェースを持つＩＣカードは、パソコンなどのＵＳＢ対応の機器との接続を容易にし、社員証カードなどでネットワークアクセス用ＩＤカードとして注目され始めている。
【００１４】
一方、ｅ−Ｔｏｋｅｎと呼ばれるＩＣチップを内蔵したネットワークアクセス用ＩＤモジュールが使用されている。これは、ＵＳＢ接触インタフェースを持ち、パソコンのＵＳＢコネクタに差し込みプラグアンドプレイできる。すなわち煩わしい操作を必要とせずに、ネットワークセキュリティを確保したシステムに使用することができる。ドングルと呼ばれることもあり、携帯電話のストラップやキーホルダとともに持ち歩ける利便性がある。
【００１５】
携帯電話の分野では、小型ＩＣカードであるＳＩＭ（subscriber identity module）、ＵＩＭ（ＵＳＩＭ）などのセキュリティＩＤモジュールが組み込まれ使われ始めている。ＵＩＭ（user identity module）は、携帯電話会社が発行する契約者情報を記録したものであり、携帯電話に組み込まれることにより利用者の識別を行う。ＵＩＭは、ＳＩＭの機能を拡張して規格化され、契約者情報のほかに、電話帳などのプライベート情報やクレジット決済用の個人識別情報などを暗号化して登録することもできる。このためＵＩＭは、ＵＳＩＭ（universal ＳＩＭ）とも呼ばれる。
【００１６】
ＳＩＭは、ＧＳＭ携帯電話サービスを利用する場合を目的に規格化されたものであるが、ＵＩＭでは、例えばアメリカのｃｄｍａ２０００携帯電話機に差し込んで国際ローミングサービスを受けるなどの用途が考えられている。ＳＩＭやＵＩＭ自体は既存技術で製造、発行処理が可能である。ＳＩＭ、ＵＩＭ（ＵＳＩＭ）は非常にセキュリティ性が高いことが特徴のひとつである。なお、本願では、ＳＩＭと記述することにより矛盾のない限りＵＩＭ（ＵＳＩＭ）を含む意味で用いる。
【特許文献１】実用新案登録第３０３９７１７号公報
【特許文献２】特開２００１−４３１９０号公報
【特許文献３】特開２００１−９２７８６号公報
【特許文献４】特開２００３−８５１４９号公報
【特許文献５】特表２００２−５２５７２０号公報
【発明の開示】
【発明が解決しようとする課題】
【００１７】
上記のリムーバブルハードディスクであるメモリデバイスのほとんどはセキュリティ性が考慮されておらず、第三者の手に渡ってしまえばその内部データがそのまま読み取られてしまう。よってそのデバイス自体を厳重に管理する必要がある。一部のメモリデバイスでは、セキュリティ性向上のために暗号化してデータを格納するものもあるが、暗号化されたデータを復元するため特定のホストあるいはその復元処理ドライバソフトが入った機器を利用する必要があり、この場合にはホストを問わないという利便性が限定されてしまう。
【００１８】
さらに、パスワードによって内部データを保護するメモリデバイスもあるが、そのパスワードを入力するホスト側の機器においては入力時のログが残るように設定することが可能であり、必ずしもセキュリティ上安全であるとは言い切れないという問題もある。このような場合、ログ抽出の機能を所有していないと判明しているホスト機器でしか安全に使用できず、いつでもどこでもどのホスト機器でも使用できるとは事実上言えなくなる。
【００１９】
また、パスワードは忘れることがあるという問題もある。忘れにくいものにするために他の機器や通信アクセスなどに使用するパスワードと同じにしていることも多い。このため、その他の機器や通信アクセスなどでパスワードが盗まれてしまえば、このメモリデバイスのパスワードも簡単に判明してしまうという問題もある。
【００２０】
セキュリティ性向上のためには、上述した従来技術である指紋認証を代表とするバイオメトリックス認証機能を、このメモリデバイスに付加することが考えられる。しかし、この従来のバイオメトリックス認証では、第一に、認証するためあるいは認証データを使用するため、特定のホスト機器あるいは特定のアプリケーションソフトを内蔵するホストとなる機器が必要である。つまり、これらホストと通信することで初めて認証結果が有効となるため、やはり接続先のパソコンなどのホスト機器が限定されるという問題がある。
【００２１】
第二に、バイオメトリック認証では１００％の認証が保証できないという問題がある。つまり、これら認証には一般に本人認証率と他人拒否率があり、それぞれ１００％を達成することは生体認証である限り不可能であるが、その対応が従来技術では何ら示されていない。このためには、例えば、認証データの再登録手段や、あるいは認証機能を無効にする手段を保有しなければならないと考えられる。しかし逆に考えると、このような認証データの再登録や認証機能の無効化ができるということは第三者でもこれらの手段を利用できるということであり、セキュリティ性に大きな問題がある。また、実際には、初期状態で何らかの方法で認証データを登録する必要があり、登録できるということは第三者でも登録できることを意味し、やはりセキュリティ性に問題がある。
【００２２】
本発明は、上記の事情を考慮してなされたもので、情報処理装置などのホスト側との切り離しが可能でかつホスト側との接続時にデータの蓄積および蓄積されたデータの出力を行うストレージ装置およびこのような装置のストレージ方法において、セキュリティ性および使用の利便性を向上することが可能なストレージ装置およびストレージ方法を提供することを目的とする。
【課題を解決するための手段】
【００２３】
上記の課題を解決するため、本発明に係るストレージ装置は、バイオメトリックス情報が入力される第１の情報入力部と、前記第１の情報入力部に入力された前記バイオメトリックス情報から、テンプレート化がなされた第１のデータを生成する第１の処理部と、前記第１のデータを、テンプレート化がなされて得られている第２のデータを基準に照合して認証を出力する第２の処理部と、外部との間で第３のデータがやりとりされるインターフェースと、前記インターフェースを介した前記第３のデータの蓄積先として機能するかまたは前記インターフェースを介した前記第３のデータの出力元として機能するストレージ部と、前記第２の処理部が出力した前記認証に基づき、前記ストレージ部と前記インターフェースとの間の前記第３のデータの流れの制御を行う第１の制御部と、鍵情報具有物品が有する鍵情報が入力される第２の情報入力部と、前記第２の情報入力部に入力された前記鍵情報に基づき、前記第１のデータを、前記第２のデータに代わる新たな第２のデータとして保持させるように制御する第２の制御部とを具備することを特徴とする。
【００２４】
すなわち、入力されたバイオメトリック情報のテンプレートデータ化処理し、その結果をテンプレート化がなされて得られているテンプレートデータを基準にして認証処理する。認証が得られればストレージ部に対してインターフェースを介してアクセスが可能となる。ここで、テンプレートデータ化処理されたバイオメトリックス情報を新たに保持させるには、第２の制御部によるその許可が必要とされている。つまり、第２の制御部は、第２の情報入力部に入力された鍵情報に基づき、第１のデータを、第２のデータに代わる新たな第２のデータとして保持させるように制御する。
【００２５】
よって、「鍵情報具有物品」がなければ基準情報の設定や書き換えは不可能でありセキュリティ性は大きく向上する。また、認証処理を自らの構成により行い、これがパスワードによる認証でもないので、セキュリティの向上に加えてホストを問わないという利便性がいかんなく発揮され使い勝手も向上する。
【００２６】
また、本発明に係るストレージ方法は、外部との間で情報データがやりとりされるインターフェースと、該インターフェースを介した前記情報データの蓄積先として機能するかまたは該インターフェースを介した前記情報データの出力元として機能するストレージ部とを有するストレージ装置におけるストレージ方法であって、前記ストレージ装置が、
バイオメトリックス情報を入力し、前記バイオメトリックス情報から、テンプレート化がなされた第１のデータを生成し、前記第１のデータを、テンプレート化がなされて得られている第２のデータを基準に照合して認証を出力し、前記認証に基づき、前記ストレージ部と前記インターフェースとの間の前記情報データの流れの制御を行い、鍵情報具有物品が有する鍵情報を入力し、前記鍵情報に基づき、前記第１のデータを、前記第２のデータに代わる新たな第２のデータとして保持させるように制御することを特徴とする。
【００２７】
このストレージ方法は、上記のストレージ装置とほぼ同様な作用によりセキュリティ性および使用の利便性を向上することが可能である。
【発明の効果】
【００２８】
本発明によれば、情報処理装置などのホスト側との切り離しが可能でかつホスト側との接続時にデータの蓄積および蓄積されたデータの出力を行うストレージ装置およびこのような装置のストレージ方法において、セキュリティ性および使用の利便性を向上することができる。
【発明を実施するための最良の形態】
【００２９】
本発明の実施態様として、前記第２のデータを保持するための保持部をさらに具備する、とすることができる。保持部を含めた構成でストレージ装置とするものである。
【００３０】
ここで、前記鍵情報具有物品が前記第２のデータを保持する保持部を含んでおり、前記ストレージ装置に前記第２のデータを保持する保持部が存在しない、することができる。「鍵情報具有物品」が比較的大きな容量の情報を保持可能な場合に向く。一例として、前記保持部が、前記鍵情報具有物品としてのＳＩＭまたはＩＣカードに含まれる、とすることができる。なお、「鍵情報具有物品」側ではなく本体側に保持部を設けるようにすることもできる。
【００３１】
また、実施態様として、前記インターフェースを介して外部から送られた前記第３のデータを暗号化して前記ストレージ部に供給する暗号化部と、前記ストレージ部から出力された暗号化された前記第３のデータを復号して前記インターフェースに送り出す復号部とをさらに具備する、とすることができる。暗号化することによりさらにセキュリティ性が向上する。
【００３２】
また、実施態様として、前記第２の情報入力部が、前記鍵情報具有物品に対して、前記鍵情報具有物品の動作に必要な電力を含む電磁波信号の放射を行う放射部と、該放射に反応して前記鍵情報具有物品より発信される電磁波信号を受信する受信部と、を有する、とすることができる。物品との非接触によるその情報の獲得の例である。物品としては送受信のためのアンテナ部を備えたＩＣカードやＩＣタグを例示することができる。
【００３３】
また、実施態様として、前記第１の情報入力部が、前記バイオメトリックス情報としての指紋情報の入力がされる情報入力部である、とし得る。バイオメトリックス情報およびその入力部としての例示である。バイオメトリックス情報には、他にも虹彩パターン、静脈パターン、肖像（顔）などの画像情報や声紋などの音声情報が考えられる。そこでそれらの情報に応じた入力部を備えるようにすることもできる。
【００３４】
また、実施態様として、前記インターフェースはＵＳＢ規格に準拠する、とし得る。近年のインターフェース規格に鑑みて、ＵＳＢ規格のインターフェースであればパソコンなどホスト側との接続に有利である。
【００３５】
また、実施態様として、前記第１の処理部、前記第２の処理部、前記第１の制御部、および前記第２の制御部が、それぞれ、ＣＰＵでの処理により動作がなされる、とすることができる。ＣＰＵをインターフェースとストレージ部との間に介在させることにより、ストレージ部に蓄積されたデータを出力するときのセキュリティ性がより向上する。
【００３６】
また、ストレージ方法としての実施態様として、前記ストレージ装置が、前記インターフェースによる外部との接続が途切れた場合に前記認証を無効とする、とすることができる。インターフェースによる外部との接続が途切れた場合はユーザの作業が中断している可能性が高い。そこでこの状態からの第三者による作業継続を阻止する意味で認証をリセットするものである。
【００３７】
以上を踏まえ、以下では本発明の実施形態を図面を参照しながら説明する。図１は、本発明の一実施形態に係るストレージ装置の構成を示す斜視図（図１（ａ））およびブロック図（図１（ｂ））である。図１に示すように、このストレージ装置１０は、インターフェース１１、ＣＰＵ１２、基準情報保持部１３、ストレージ部１４、指紋入力部（バイオメトリックス情報入力部）１５、物理的鍵情報入力部１６を有する。物理的鍵情報入力部１６には、鍵情報具有物品としての物理的鍵１７を挿入することができる。
【００３８】
インターフェース１１は、ホスト側の機器との接続を行うものである。ここでは、そのコネクタとしてＵＳＢ規格に準拠したものを使用し、これを、直方体状形状における面積の小さい方の側面の一つに取り付けている。インターフェース１１を通過するデータには、このストレージ装置に蓄積するデータ、このストレージ装置から出力するデータのほかに、各種の動作を制御するためのデータが含まれる。このインターフェース１１を介してＣＰＵ１２がホストとの間で相互にデータのやり取りおよびその制御を行う。
【００３９】
ＣＰＵ１２は、テンプレート化処理部、認証処理部、保持動作制御部、ストレージ部コントローラ、暗号化部／復号部の各部として機能する。テンプレート化処理部としては、指紋入力部１５から入力された生の指紋情報をパターン認識（例えばその特徴量を抽出）してテンプレートデータ化された指紋情報に変換する。認証処理部としては、このテンプレートデータ化された指紋情報を、基準情報保持部１３にあらかじめ保持されたテンプレートデータ化された指紋情報を基準に照合してその認証処理を行う。
【００４０】
また、保持動作制御部としては、物理的鍵１７が物理的鍵情報入力部１６に挿入されたときに得られた情報を吟味し、基準情報保持部１３にテンプレートデータ化された指紋情報を保持させるかどうかの許可／不許可を決定する。ストレージ部コントローラとしては、ストレージ部１４に蓄積するデータ、ストレージ部１４から出力するデータのアドレス制御を行う。暗号化部／復号部としては、ストレージ部１４に蓄積するデータの暗号化、ストレージ部１４から出力するデータの復号を行う。
【００４１】
基準情報保持部１３は、テンプレートデータ化された指紋情報を認証基準情報として保持するものである。上記のように、ＣＰＵ１２の保持動作制御部としての機能によりテンプレートデータ化された指紋情報の保持が許可されるとその保持がなされ、ＣＰＵ１２の認証処理部としての機能により認証処理の基準情報としてその読み出しがされる。例えばフラッシュＲＯＭ、ＥＥＰＲＯＭなどの不揮発性メモリを使用することができる。
【００４２】
ストレージ部１４は、このストレージ装置としてのデータの蓄積部である。ＣＰＵ１２との間で相互にデータのやり取りを行う。これも例えばフラッシュＲＯＭ、ＥＥＰＲＯＭなどの不揮発性メモリを利用することができる。
【００４３】
指紋入力部１５は、バイオメトリックス情報としての指紋情報を入力するものである。ここでは、全体としての小型化のため、指紋入力部１５として感熱方式を用いたスイープ型のものを使用している。指紋入力部１５の表面には感熱素子がライン状に並ぶ検知面があり、指紋を読み取らせるとき、指先の腹部分を指紋入力部１５の検知面に押し当て図示する方向に移動（擦過）する。スイープ型は、このように数ｍｍ幅の帯状の検知面上に指を擦過させて指紋の特徴を認識するが、擦過速度や押圧にむらがある場合にも補正機能を備えることで対応可能である。指紋入力部１５として使用できるスイープ型指紋センサの市販品としては、例えばＡＴＭＥＬ社の「ＦＣＤ４Ｂ１４」（ＦｉｎｇｅｒＣｈｉｐ）などがある。
【００４４】
なお、指紋入力部１５として、静電容量型の指紋センサを使用することもできる。例えば平面型の静電容量型の場合は、指紋の凹凸を電気信号として検出する検知部として、指紋の凹凸を電気信号に変換するセンサ素子が多数敷き詰められている。敷き詰められたセンサ素子の面に指先の腹部分を接触させることにより指紋が読み取られる。
【００４５】
物理的鍵情報入力部１６は、図示するように物理的鍵１７を受け入れるためのスリットを有し、かつ受け入れられた物理的鍵１７の物理的特徴（例えば形状）の情報を獲得するための入力部である。情報獲得の構成例としては、例えば、物理的鍵１７がスリットに挿入されたときに、その形状により、本体側に設けられた縦横に列設された複数の微細電気スイッチやフォトカプラにおいてそのオンオフパターンが異なることを利用する形態が挙げられる。獲得された特徴情報はＣＰＵ１２に送られる。
【００４６】
このストレージ装置１０の構成上、動作上の説明を使用手順に沿ってさらに行う。ストレージ装置１０には、そのイニシャル状態で基準情報保持部１３に何もデータが入っていない。基準情報保持部１３内にテンプレートデータを保持させるため、物理的鍵１７を物理的鍵情報入力部１６に挿入すると、指紋入力部１５が登録用の入力素子として働く。入力された指紋情報は、ＣＰＵ１２でのテンプレートデータ化処理によりテンプレートデータに変換される。変換・作成されたテンプレートデータは、基準情報保持部１３内に保持され得る。
【００４７】
テンプレートデータ化処理は、好ましくはインターフェース１１に特定のホスト機器（図示せず）を接続して、必要な制御ソフトで実行することがより好ましい。これは、指紋登録では一般的には複数回の入力データを平準化して基準となるテンプレートデータを作成した方が、その後の被認証データとの照合に際して認証の安定度が高まるためである。このような作成処理には、ホスト機器からのコントロールがあると操作がより円滑である。なお、テンプレートデータを保持させる段階では、ストレージ装置１０内部のストレージ部１４へのホスト側からのアクセス（蓄積／出力）は自由に行うことができる。この状態は物理的鍵１７によってセキュリティ性が解除された状態である。
【００４８】
次に、テンプレートデータが基準情報保持部１３に保持された後は、指紋認証を行わないとストレージ部１４へのアクセスができない。このとき、上記の物理的鍵１７はこのストレージ装置１０から取り外されて別に厳重に保管される。また、この実施形態のストレージ装置１０はいわゆる独立型の指紋認証機能付きデバイスであり、指紋認証処理にホスト側の支援は不要である。このストレージ装置１０をパソコンなどのホスト機器に接続すると、リムーバブルメモリデバイスかつ／または大容量ストレージメモリと判断されるコードをホスト側に返すようになっている。どこのホスト機器にも接続可能であるが、接続のみではストレージ部１４のデータにロックがかかっており、指紋認証を行わないとそのロックを外すことができない。
【００４９】
バイオメトリックス認証には一般に１００％の認証はあり得ない。よってその認証によるだけでは、何らかの認証不具合が生じた場合にストレージ部１４にアクセスできなくなり必要なデータが取り出せなくなるおそれがある。このような場合にこのストレージ装置１０では、別に保管してある物理的鍵１７を用いれば基準情報保持部１３に保持された基準情報を無視できてセキュリティ性を解除できるので、これによりストレージ部１４に蓄積されたデータにアクセスできる。
【００５０】
なお、本人拒否率を下げるために、基準情報保持部１３に保持させるテンプレートデータは複数としてもよい。例えば両手では１０指あるので、その複数あるいは全てを格納して逐次認証を行うようにすれば本人拒否率を下げることができる。
【００５１】
また、インターフェース１１をホスト機器に接続している間は、認証のあと自由にストレージ部１４へのアクセスができるのを多少改善して、インタフェース１１がホスト機器から外された段階でその認証結果を破棄するようにしてもよい。これにより、中断された作業が第三者によって継続されることが容易に防止できる。また、ストレージ装置１０をホスト機器から外して持ち運ぶときのセキュリティ性を向上することができる。
【００５２】
また、この実施形態では、インタフェース１１とストレージ部１４との間に暗号化部／復号部としてのＣＰＵ１２が介在している。このような構成により、蓄積するデータの暗号化および出力するデータの復号の処理および制御がＣＰＵ１２でされ、暗号化／複号のキーはＣＰＵ１２が管理することになる。したがって、例え分解してストレージ部１４に直接アクセスしてもその内容を復号することはできずセキュリティ性が向上している。
【００５３】
以上説明ように、この実施形態によれば、セキュリティ性を高く確保した上で、使用するホストを問わないというストレージ装置としての利便性をいかんなく発揮できる。また、使用の際に起こり得る、バイオメトリックス情報の認証における本人拒否の問題にも適切に対応している。
【００５４】
なお、上記実施形態では、バイオメトリックス情報入力部として指紋入力部１５を使用したが、その他、光学式センサなどを使用した静脈パターン認証や虹彩パターン認証、カメラを入力素子とした肖像（顔）認証、マイクを入力素子とした音声認証など、それぞれの認証に応じて各種の入力素子を使用することもできる。一般にバイオメトリックス情報のテンプレートデータには、パターンとしての特徴量や特徴点のデータや、周波数解析によるパワスペクトラムデータなどを利用することができる。そのデータ容量が小さい場合には処理負担が小さいなどの利点があるものの一般に認証率が低下する傾向があり、セキュリティ性をより高くするためある程度の容量のテンプレートデータを用いるのが好ましい。
【００５５】
上記実施形態では、基準情報保持部１３とストレージ部１４とを別個に用意したが、これらはともに不揮発性メモリなので、これらを同一のチップ内に用意する構成も実現可能である。この場合には、チップ内の使用アドレスを分解してそれぞれテンプレートデータ用またはストレージデータ用とすればよい。これにより、使用する部品点数を削減でき、製造コストを下げることができる。また、最近ではＣＰＵ１２内部にＲＯＭを搭載したものもある。この場合には、基準情報保持部１３をＣＰＵ１２内部に設ける構成も実現可能である。
【００５６】
また、上記実施形態は、インターフェース１１としてＵＳＢコネクタを使用したいわゆるＵＳＢデバイスであったが、例えば、ＰＣＭＣＩＡカード、コンパクトフラッシュ（登録商標）、スマートメディア（登録商標）、マルチメディア、セキュアディジタル、メモリスティックなど、それら特有の外部インターフェースを備えたものであってもよい。
【００５７】
次に、本発明の別の実施形態に係るストレージ装置について図２を参照して説明する。図２は、本発明の別の実施形態に係るストレージ装置の構成を示すブロック図であり、すでに説明した構成要素には同一番号を付してある。その部分については加えることがない限り説明を省略する。
【００５８】
この実施形態では、インターフェース１１とストレージ部１４との間にハブ２１が設けられ、その関係上ストレージ部１４の前段階にストレージ部コントローラ２３が介在する。ハブ２１は、ハブコントローラ２２により、インターフェース１１とストレージ部コントローラ２３との間のデータの流れと、インターフェース１１とＣＰＵ１２Ａとの間のデータの流れとが切り換え制御される。また、ハブコントローラ２２はＣＰＵ２１Ａにより制御される。ＣＰＵ１２Ａは、その機能として、図１におけるＣＰＵ１２からストレージ部コントローラとしての機能および暗号化部／復号部としての機能が抜けたものである。
【００５９】
このような構成によると、インタフェース１１とストレージ部１４との間にＣＰＵ１２Ａが介在しないのでストレージ部１４に蓄積されるデータの暗号化ができないが、ＣＰＵ１２Ａの内部構成は簡略化することができる。ただし暗号化されずにストレージ部１４にデータが蓄積されるのでこのストレージ装置を分解すればストレージ部１４に蓄積されたデータを読み出すことができる。この点でセキュリティ性をやや犠牲にすることになるがその点を除いては上記の実施形態と同様な効果を有するので、簡略化構成としてあり得る構成である。
【００６０】
次に、本発明のさらに別の実施形態について図３を参照して説明する。図３は、本発明のさらに別の実施形態に係るストレージ装置の構成を示す斜視図（図３（ａ））およびブロック図（図３（ｂ））であり、すでに説明した構成要素には同一番号を付してある。その部分については加えることがない限り説明を省略する。
【００６１】
この実施形態では、鍵情報具有物品としてＩＣタグ３２を利用する。ＩＣタグ３２が有する情報をこのストレージ装置１０Ａが獲得するため、ストレージ装置１０Ａには鍵情報入力部として近距離アンテナ３１が設けられる。近距離アンテナ３１は、ごく近距離（例えば数十ｃｍから２ｍ程度）の範囲にＩＣタグ３２が動作するのに必要な電力を含む電磁波信号の放射を行う。
【００６２】
これに対しＩＣタグ３２は、この電磁波信号に反応して内部に保持した固有情報（＝鍵情報）を電磁波信号として発信する。この発信された電磁波信号が再びストレージ装置１０Ａの近距離アンテナ３１に到達すると受信されてＣＰＵ１２に送られる。送られた情報の吟味などそのあとの処理についてはすでに説明した通りである。すなわち、この実施形態は、物理的鍵１７がＩＣタグ３２に取って代わったのみという違いで捉えることができる。
【００６３】
これを超えて、この実施形態は、ストレージ部１４とのアクセスが可能になった後もＣＰＵ１２からの指令によりＩＣタグ３２との通信を行い、ＩＣタグ３２からの所定の固有情報が得られる間だけストレージ部１４へのアクセスを可能とするような使い方も考えられる。例えばＩＣタグ３２を正当な使用者の名札などに埋め込んでおくようにすれば、その使用者が作業机を離れると自動的にストレージ部１４へのアクセスが不可能になる。このようなホスト機器へ接続したまま放置の場合のセキュリティ向上はこの実施形態に特有の効果である。
【００６４】
その使用者が作業机に戻った場合には、ＩＣタグ３２から所定の固有情報が再び獲得できるようになることで自動的にストレージ部１４にアクセスできるように復帰する。ＩＣタグ３２がない場合でも、指紋入力部１５から指紋の入力を行い認証が得られればストレージ部１４へのアクセスが可能な状態に復帰できる。
【００６５】
次に、本発明のさらに別の実施形態について図４を参照して説明する。図４は、本発明のさらに別の実施形態に係るストレージ装置の構成を示す斜視図（図４（ａ））およびブロック図（図４（ｂ））であり、すでに説明した構成要素には同一番号を付してある。その部分については加えることがない限り説明を省略する。
【００６６】
この実施形態では、鍵情報具有物品としてＳＩＭ４１を利用する。ＳＩＭ４１は、この実施形態ではさらに基準情報保持部としても機能する。すなわち基準情報保持部を本体側ではなく鍵情報具有物品の側に設けた実施形態である。ＳＩＭ４１にはその表面に複数の電極４２があり、ストレージ装置１０Ｂに設けられたＳＩＭ挿入部４３に挿入されると内部電極と電極４２とが相互に電気的接触するようになっている。ＳＩＭ挿入部４３はよって鍵情報入力部および基準情報保持部受け入れ部として機能する。
【００６７】
ＳＩＭ４１は、外見上、長辺が２５ｍｍ、短辺が１５ｍｍ程度の板状の樹脂からなるものである。厚みは１．０ｍｍ以内（通常は０．７６ｍｍ）であり均一な薄板状とされている。複数の電極４２に電気的接続された板内部には、例えば接触（ＩＳＯ７８１６−２、ＩＳＯ７８１６−３）、非接触デュアルモードのＩＣモジュールが封止される。ＳＩＭ４１の矩形一頂点部に切り欠きを有するのは、ＳＩＭ４１をストレージ装置１０Ｂに挿入する際の挿入方向および板面方向を識別容易にするためである。
【００６８】
ＳＩＭ４１は、それ単独では物理的にも電気的にも内部に格納されたデータを復元することはできない非常にタンパ防止性の高いものなので、これを利用するこのストレージ装置１０Ｂはさらにストレージ部１４に蓄積されたデータのセキュリティ性を高めることができる。ＳＩＭ４１をストレージ装置１０Ｂと切り離して所持することにより、第三者がストレージ部１４に蓄積されたデータを読むことはさらに不可能である。
【００６９】
なお、前述の各実施形態と同様に、基準情報保持部をＳＩＭ４１内ではなくストレージ装置１０Ｂ内に設ける構成にすることも可能である。この場合は前述の実施形態と同様にストレージ装置１０Ｂに設けられた基準情報保持部へのテンプレートデータの書き込みをＳＩＭ４１内の鍵情報の吟味により制御的に行う。さらに、ストレージ部１４に蓄積するデータの暗号化をＳＩＭ４１が有する情報をキーにして行うように構成することもできる。これによってもさらにセキュリティ性が向上する。
【００７０】
なお、ＳＩＭ１４に代えて同様な機能を有するＩＣカードを鍵情報具有物品として利用することもできる。
【図面の簡単な説明】
【００７１】
【図１】本発明の一実施形態に係るストレージ装置の構成を示す斜視図（一部破断）およびブロック図。
【図２】本発明の別の実施形態に係るストレージ装置の構成を示すブロック図。
【図３】本発明のさらに別の実施形態に係るストレージ装置の構成を示す斜視図（一部破断）およびブロック図。
【図４】本発明のさらに別の実施形態に係るストレージ装置の構成を示す斜視図（一部破断）およびブロック図。
【符号の説明】
【００７２】
１０，１０Ａ，１０Ｂ…ストレージ装置、１１…インターフェース、１２，１２Ａ…ＣＰＵ、１３…基準情報保持部、１４…ストレージ部、１５…指紋入力部、１６…物理的鍵情報入力部、１７…物理的鍵、２１…ハブ、２２…ハブコントローラ、２３…ストレージ部コントローラ、３１…鍵情報入力部（近距離アンテナ）、３２…ＩＣタグ、４１…ＳＩＭ、４２…電極、４３…ＳＩＭ挿入部。
【図１】
0004640920.tif 000002
【図２】
0004640920.tif 000003
【図３】
0004640920.tif 000004
【図４】
0004640920.tif 000005